(57)【要約】【課題】ラベル体に紫外線殺菌ランプにより殺菌処理が施されていることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプによる殺菌処理であるから、殺菌処理を確実かつ容易に行うことができ、製造コストの低減を図ることができる。【解決手段】ケーキや菓子等の食品Ｗに直接触れる状態で使用され、ラベル体１の表面に文字や図形等が印刷されてなり、ラベル体に紫外線殺菌ランプ８により殺菌処理が施されてなる。【選択図】図１
0003128712.tif 000002
【実用新案登録請求の範囲】
【請求項１】
ケーキや菓子等の食品に直接触れる状態で使用され、ラベル体の表面に文字や図形等が印刷されてなり、上記ラベル体に紫外線殺菌ランプにより殺菌処理が施されていることを特徴とする食品用印刷ラベル。
【請求項２】
上記ラベル体に殺菌処理済シールの貼付や殺菌処理済を表す押印等により殺菌処理済であることを表す表示部を設けてなることを特徴とする請求項１記載の食品用印刷ラベル。
【考案の詳細な説明】
【技術分野】
【０００１】
本考案は、例えばケーキ、菓子類用の差札等の食品用印刷ラベルに関するものである。
【背景技術】
【０００２】
この種のケーキ、菓子類用の差札は、各種大きさ、各種形態のラベルの表面にケーキ名や図形、絵柄等が印刷されてなり、この差札をケーキ、菓子類等の表面に直接差し込み、食品の美感を高め、装飾的価値を図る工夫が為されている。
【特許文献１】実用新案登録第３１０９４１３号公報
【考案の開示】
【考案が解決しようとする課題】
【０００３】
しかしながら、これら差札はケーキ、菓子類等の食品に直接差して用いられ、食品に直接触れる状態で使用されるものであり、一方、差札は、ラベル印刷工程、裁断工程などの各種の製造工程を経て製造されるものであるところ、何ら、殺菌処理がなされておらず、衛生面及び安全面で好ましくないことがあるという不都合を有している。
【課題を解決するための手段】
【０００４】
本考案はこれらの不都合を解決することを目的とするもので、本考案のうちで、請求項１記載の考案は、ケーキや菓子等の食品に直接触れる状態で使用され、ラベル体の表面に文字や図形等が印刷されてなり、上記ラベル体に紫外線殺菌ランプにより殺菌処理が施されていることを特徴とする食品用印刷ラベルにある。
【０００５】
又、請求項２記載の考案は、上記ラベル体に殺菌処理済シールの貼付や殺菌処理済を表す押印等により殺菌処理済であることを表す表示部を設けてなることを特徴とするものである。
【考案の効果】
【０００６】
本考案は上述の如く、請求項１記載の考案にあっては、上記ラベル体に紫外線殺菌ランプにより殺菌処理が施されていることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプによる殺菌処理であるから、殺菌処理を確実かつ容易に行うことができ、製造コストの低減を図ることができる。
【０００７】
又、請求項２記載の考案にあっては、上記ラベル体に殺菌処理済シールの貼付や殺菌処理済を表す押印等により殺菌処理済であることを表す表示部を設けてなるから、殺菌処理済みでないものとの差別化、識別化を図ることができ、商品価値を高めることができる。
【考案を実施するための最良の形態】
【０００８】
図１乃至図６は本考案の実施の形態例を示し、図１乃至図４は第一形態例、図５は第二形態例、図６は第三形態例である。
【０００９】
図１乃至図４の第一形態例において、１はラベル体であって、この場合、ケーキや菓子等の食品Ｗに差されて食品Ｗに直接触れる状態で使用される差札であり、合成樹脂材、紙材等の各種の材質からなり、その表面には文字や図形等が印刷されている。
【００１０】
このラベル体１は紫外線殺菌ランプ８により殺菌処理が施されている。
【００１１】
又、この場合、殺菌処理済であることを表す表示部２として、上記ラベル体に殺菌処理済シールの貼付が貼付されている。尚、殺菌処理済であることを表す表示部として、殺菌処理済を表す押印等により表示することもある。
【００１２】
又、この場合、その殺菌装置にあっては、図３、図４の如く、装置機体３に複数枚のラベル体１を搬送可能な網籠状の回転ドラム４を複数個の支持ロール３ａにより回転自在に傾設し、回転ドラム４の下方位置に塵埃受け３ｂを配置し、回転ドラム４を回転させる回転機構５を設け、この回転機構５は回転ドラム４に歯車５ａを取り付け、装置機体３に回転用モータ５ｂを設け、回転用モータ５ｂの主軸に歯車５ａに噛合する駆動歯車５ｃを設けてなり、回転ドラム４の一方端部に複数枚のラベル体１を回転ドラム内に投入するための投入部６を設けると共に回転ドラム４の他方端部に複数枚のラベル体１を回転ドラム４内から排出するための排出部７を設け、回転ドラム４内に回転ドラム４内を連続的に移動する複数枚のラベル体１を紫外線殺菌可能な紫外線殺菌ランプ８を固定的に配置して構成している。
【００１３】
この実施の第一形態例は上記構成であるから、上記ラベル体１に紫外線殺菌ランプ８により殺菌処理が施されていることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプ８による殺菌処理であるから、殺菌処理を確実かつ容易に行うことができ、製造コストの低減を図ることができる。
【００１４】
又、この場合、上記ラベル体１に殺菌処理済シールの貼付や殺菌処理済を表す押印等により殺菌処理済であることを表す表示部８を設けてなるから、殺菌処理済みでないものとの差別化、識別化を図ることができ、商品価値を高めることができる。
【００１５】
又、その殺菌装置にあっては、図３、図４の如く、複数枚のラベル体１が入荷したら、先ずモニター汚れチェックがなされ、その後、自動的又は人的に複数枚のラベル体１を投入部６より回転ドラム４内に投入し、この複数枚のラベル体１は回転ドラム４の回転及び自重により回転ドラム４内を撹拌されつつ連続的に移動し、この連続移動時に複数枚のラベル体１は紫外線殺菌ランプ８からの照射光により紫外線殺菌処理され、紫外線殺菌処理された複数枚のラベル体１は回転ドラム４の他方端部の排出部７より排出され、その後、モニター汚れチェックがなされ、パック包装され、出荷されることになり、しかして、これにより複数枚のラベル体１を連続的に殺菌処理することができ、殺菌処理の確実性及び作業性を向上することができる。
【００１６】
図５の第二形態例、図６の第三形態例は別例構造を示し、上記第一形態例は丸ラベル形、第二形態例は正方形ラベル形、第三形態例は四角形ラベルを示しているものであり、いずれのラベル体１も紫外線殺菌ランプにより殺菌処理が施されているものである。
【００１７】
尚、本考案は上記実施の形態例に限られるものではなく、ラベル体１の形態等は適宜変更して設計されるものである。
【００１８】
以上、所期の目的を充分達成することができる。
【図面の簡単な説明】
【００１９】
【図１】本考案の実施の第一形態例の使用状態図である。
【図２】本考案の実施の第一形態例の斜視図である。
【図３】本考案の実施の第一形態例の処理工程図である。
【図４】本考案の実施の第一形態例の装置の説明図である。
【図５】本考案の実施の第二形態例の斜視図である。
【図６】本考案の実施の第三形態例の斜視図である。
【符号の説明】
【００２０】
Ｗ    食品
１    ラベル体
２    表示部
４    回転ドラム
６    投入部
７    排出部
８    紫外線殺菌ランプ
【図１】
0003128712.tif 000003
【図２】
0003128712.tif 000004
【図３】
0003128712.tif 000005
【図４】
0003128712.tif 000006
【図５】
0003128712.tif 000007
【図６】
0003128712.tif 000008
【手続補正書】
【提出日】平成18年8月23日(2006.8.23)
【手続補正１】
【補正対象書類名】実用新案登録請求の範囲
【補正対象項目名】全文
【補正方法】変更
【補正の内容】
【実用新案登録請求の範囲】
【請求項１】
ケーキや菓子等の食品に直接触れる状態で使用され、表面に文字や図形等が印刷されてなる丸形、正方形、四角形などのラベル体に紫外線殺菌ランプにより殺菌処理が施された殺菌処理部を設けてなることを特徴とする食品用印刷ラベル。
【請求項２】
上記ラベル体に殺菌処理済シールの貼付や殺菌処理済を表す押印等により殺菌処理済であることを表す表示部を設けてなることを特徴とする請求項１記載の食品用印刷ラベル。
【手続補正２】
【補正対象書類名】明細書
【補正対象項目名】全文
【補正方法】変更
【補正の内容】
【考案の詳細な説明】
【技術分野】
【０００１】
本考案は、例えばケーキ、菓子類用の差札等の食品用印刷ラベルに関するものである。
【背景技術】
【０００２】
この種のケーキ、菓子類用の差札は、各種大きさ、各種形態のラベルの表面にケーキ名や図形、絵柄等が印刷されてなり、この差札をケーキ、菓子類等の表面に直接差し込み、食品の美感を高め、装飾的価値を図る工夫が為されている。
【特許文献１】実用新案登録第３１０９４１３号公報
【考案の開示】
【考案が解決しようとする課題】
【０００３】
しかしながら、これら差札はケーキ、菓子類等の食品に直接差して用いられ、食品に直接触れる状態で使用されるものであり、一方、差札は、ラベル印刷工程、裁断工程などの各種の製造工程を経て製造されるものであるところ、何ら、殺菌処理がなされておらず、衛生面及び安全面で好ましくないことがあるという不都合を有している。
【課題を解決するための手段】
【０００４】
本考案はこれらの不都合を解決することを目的とするもので、本考案のうちで、請求項１記載の考案は、ケーキや菓子等の食品に直接触れる状態で使用され、表面に文字や図形等が印刷されてなる丸形、正方形、四角形などのラベル体に紫外線殺菌ランプにより殺菌処理が施された殺菌処理部を設けてなることを特徴とする食品用印刷ラベルにある。
【０００５】
又、請求項２記載の考案は、上記ラベル体に殺菌処理済シールの貼付や殺菌処理済を表す押印等により殺菌処理済であることを表す表示部を設けてなることを特徴とするものである。
【考案の効果】
【０００６】
本考案は上述の如く、請求項１記載の考案にあっては、丸形、正方形、四角形などのラベル体に紫外線殺菌ランプにより殺菌処理が施された殺菌処理部を設けてなることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプによる殺菌処理であるから、殺菌処理を確実かつ容易に行うことができ、製造コストの低減を図ることができる。
【０００７】
又、請求項２記載の考案にあっては、上記ラベル体に殺菌処理済シールの貼付や殺菌処理済を表す押印等により殺菌処理済であることを表す表示部を設けてなるから、殺菌処理済みでないものとの差別化、識別化を図ることができ、商品価値を高めることができる。
【考案を実施するための最良の形態】
【０００８】
図１乃至図６は本考案の実施の形態例を示し、図１乃至図４は第一形態例、図５は第二形態例、図６は第三形態例である。
【０００９】
図１乃至図４の第一形態例において、１はラベル体であって、この場合、ケーキや菓子等の食品Ｗに差されて食品Ｗに直接触れる状態で使用される丸形の差札であり、合成樹脂材、紙材等の各種の材質からなり、その表面には文字や図形等が印刷されている。
【００１０】
このラベル体１に紫外線殺菌ランプ８により殺菌処理が施された殺菌処理部Ｆを設けている。
【００１１】
又、この場合、殺菌処理済であることを表す表示部２として、上記ラベル体に殺菌処理済シールの貼付が貼付されている。尚、殺菌処理済であることを表す表示部として、殺菌処理済を表す押印等により表示することもある。
【００１２】
又、この場合、その殺菌装置にあっては、図３、図４の如く、装置機体３に複数枚のラベル体１を搬送可能な網籠状の回転ドラム４を複数個の支持ロール３ａにより回転自在に傾設し、回転ドラム４の下方位置に塵埃受け３ｂを配置し、回転ドラム４を回転させる回転機構５を設け、この回転機構５は回転ドラム４に歯車５ａを取り付け、装置機体３に回転用モータ５ｂを設け、回転用モータ５ｂの主軸に歯車５ａに噛合する駆動歯車５ｃを設けてなり、回転ドラム４の一方端部に複数枚のラベル体１を回転ドラム内に投入するための投入部６を設けると共に回転ドラム４の他方端部に複数枚のラベル体１を回転ドラム４内から排出するための排出部７を設け、回転ドラム４内に回転ドラム４内を連続的に移動する複数枚のラベル体１を紫外線殺菌可能な紫外線殺菌ランプ８を固定的に配置して構成している。
【００１３】
この実施の第一形態例は上記構成であるから、丸形のラベル体１に紫外線殺菌ランプ８により殺菌処理が施された殺菌処理部Ｆを設けてなることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプ８による殺菌処理であるから、殺菌処理を確実かつ容易に行うことができ、製造コストの低減を図ることができる。
【００１４】
又、この場合、上記ラベル体１に殺菌処理済シールの貼付や殺菌処理済を表す押印等により殺菌処理済であることを表す表示部２を設けてなるから、殺菌処理済みでないものとの差別化、識別化を図ることができ、商品価値を高めることができる。
【００１５】
又、その殺菌装置にあっては、図３、図４の如く、複数枚のラベル体１が入荷したら、先ずモニター汚れチェックがなされ、その後、自動的又は人的に複数枚のラベル体１を投入部６より回転ドラム４内に投入し、この複数枚のラベル体１は回転ドラム４の回転及び自重により回転ドラム４内を撹拌されつつ連続的に移動し、この連続移動時に複数枚のラベル体１は紫外線殺菌ランプ８からの照射光により紫外線殺菌処理され、紫外線殺菌処理された複数枚のラベル体１は回転ドラム４の他方端部の排出部７より排出され、その後、モニター汚れチェックがなされ、パック包装され、出荷されることになり、しかして、これにより複数枚のラベル体１を連続的に殺菌処理することができ、殺菌処理の確実性及び作業性を向上することができる。
【００１６】
図５の第二形態例、図６の第三形態例は別例構造を示し、上記第一形態例は丸ラベル形、第二形態例は正方形ラベル形、第三形態例は四角形ラベルを示しているものであり、いずれのラベル体１も紫外線殺菌ランプにより殺菌処理が施された殺菌処理部Ｆを設けているものである。
【００１７】
尚、本考案は上記実施の形態例に限られるものではなく、ラベル体１の形態等は適宜変更して設計されるものである。
【００１８】
以上、所期の目的を充分達成することができる。
【図面の簡単な説明】
【００１９】
【図１】本考案の実施の第一形態例の使用状態図である。
【図２】本考案の実施の第一形態例の斜視図である。
【図３】本考案の実施の第一形態例の処理工程図である。
【図４】本考案の実施の第一形態例の装置の説明図である。
【図５】本考案の実施の第二形態例の斜視図である。
【図６】本考案の実施の第三形態例の斜視図である。
【符号の説明】
【００２０】
Ｗ    食品
Ｆ 殺菌処理部
１    ラベル体
２    表示部
４    回転ドラム
６    投入部
７    排出部
８    紫外線殺菌ランプ
【手続補正３】
【補正対象書類名】図面
【補正対象項目名】図１
【補正方法】変更
【補正の内容】
【図１】
0003128712.tif 000009
【手続補正４】
【補正対象書類名】図面
【補正対象項目名】図２
【補正方法】変更
【補正の内容】
【図２】
0003128712.tif 000010
【手続補正５】
【補正対象書類名】図面
【補正対象項目名】図５
【補正方法】変更
【補正の内容】
【図５】
0003128712.tif 000011
【手続補正６】
【補正対象書類名】図面
【補正対象項目名】図６
【補正方法】変更
【補正の内容】
【図６】
0003128712.tif 000012
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
ケーキや菓子等の食品に直接触れる状態で使用され、表面に文字や図形等が印刷されてなる丸形、正方形、四角形のラベル体に紫外線殺菌ランプにより殺菌処理が施された殺菌処理部を設けてなることを特徴とする食品用印刷ラベル。
【請求項２】
上記ラベル体に殺菌処理済シールの貼付や殺菌処理済を表す押印等により殺菌処理済であることを表す表示部を設けてなることを特徴とする請求項１記載の食品用印刷ラベル。
【手続補正２】
【補正対象書類名】明細書
【補正対象項目名】全文
【補正方法】変更
【補正の内容】
【考案の詳細な説明】
【技術分野】
【０００１】
本考案は、例えばケーキ、菓子類用の差札等の食品用印刷ラベルに関するものである。
【背景技術】
【０００２】
この種のケーキ、菓子類用の差札は、各種大きさ、各種形態のラベルの表面にケーキ名や図形、絵柄等が印刷されてなり、この差札をケーキ、菓子類等の表面に直接差し込み、食品の美感を高め、装飾的価値を図る工夫が為されている。
【特許文献１】実用新案登録第３１０９４１３号公報
【考案の開示】
【考案が解決しようとする課題】
【０００３】
しかしながら、これら差札はケーキ、菓子類等の食品に直接差して用いられ、食品に直接触れる状態で使用されるものであり、一方、差札は、ラベル印刷工程、裁断工程などの各種の製造工程を経て製造されるものであるところ、何ら、殺菌処理がなされておらず、衛生面及び安全面で好ましくないことがあるという不都合を有している。
【課題を解決するための手段】
【０００４】
本考案はこれらの不都合を解決することを目的とするもので、本考案のうちで、請求項１記載の考案は、ケーキや菓子等の食品に直接触れる状態で使用され、表面に文字や図形等が印刷されてなる丸形、正方形、四角形のラベル体に紫外線殺菌ランプにより殺菌処理が施された殺菌処理部を設けてなることを特徴とする食品用印刷ラベルにある。
【０００５】
又、請求項２記載の考案は、上記ラベル体に殺菌処理済シールの貼付や殺菌処理済を表す押印等により殺菌処理済であることを表す表示部を設けてなることを特徴とするものである。
【考案の効果】
【０００６】
本考案は上述の如く、請求項１記載の考案にあっては、丸形、正方形、四角形のラベル体に紫外線殺菌ランプにより殺菌処理が施された殺菌処理部を設けてなることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプによる殺菌処理であるから、殺菌処理を確実かつ容易に行うことができ、製造コストの低減を図ることができる。
【０００７】
又、請求項２記載の考案にあっては、上記ラベル体に殺菌処理済シールの貼付や殺菌処理済を表す押印等により殺菌処理済であることを表す表示部を設けてなるから、殺菌処理済みでないものとの差別化、識別化を図ることができ、商品価値を高めることができる。
【考案を実施するための最良の形態】
【０００８】
図１乃至図６は本考案の実施の形態例を示し、図１乃至図４は第一形態例、図５は第二形態例、図６は第三形態例である。
【０００９】
図１乃至図４の第一形態例において、１はラベル体であって、この場合、ケーキや菓子等の食品Ｗに差されて食品Ｗに直接触れる状態で使用される丸形の差札であり、合成樹脂材、紙材等の各種の材質からなり、その表面には文字や図形等が印刷されている。
【００１０】
このラベル体１に紫外線殺菌ランプ８により殺菌処理が施された殺菌処理部Ｆを設けている。
【００１１】
又、この場合、殺菌処理済であることを表す表示部２として、上記ラベル体に殺菌処理済シールの貼付が貼付されている。尚、殺菌処理済であることを表す表示部として、殺菌処理済を表す押印等により表示することもある。
【００１２】
又、この場合、その殺菌装置にあっては、図３、図４の如く、装置機体３に複数枚のラベル体１を搬送可能な網籠状の回転ドラム４を複数個の支持ロール３ａにより回転自在に傾設し、回転ドラム４の下方位置に塵埃受け３ｂを配置し、回転ドラム４を回転させる回転機構５を設け、この回転機構５は回転ドラム４に歯車５ａを取り付け、装置機体３に回転用モータ５ｂを設け、回転用モータ５ｂの主軸に歯車５ａに噛合する駆動歯車５ｃを設けてなり、回転ドラム４の一方端部に複数枚のラベル体１を回転ドラム内に投入するための投入部６を設けると共に回転ドラム４の他方端部に複数枚のラベル体１を回転ドラム４内から排出するための排出部７を設け、回転ドラム４内に回転ドラム４内を連続的に移動する複数枚のラベル体１を紫外線殺菌可能な紫外線殺菌ランプ８を固定的に配置して構成している。
【００１３】
この実施の第一形態例は上記構成であるから、丸形のラベル体１に紫外線殺菌ランプ８により殺菌処理が施された殺菌処理部Ｆを設けてなることにより、ケーキや菓子等の食品に直接触れる状態で使用しても、衛生的な状態で使用することができ、使用の安全性を高めることができ、食品用印刷ラベルの付加価値を向上することができ、紫外線殺菌ランプ８による殺菌処理であるから、殺菌処理を確実かつ容易に行うことができ、製造コストの低減を図ることができる。
【００１４】
又、この場合、上記ラベル体１に殺菌処理済シールの貼付や殺菌処理済を表す押印等により殺菌処理済であることを表す表示部２を設けてなるから、殺菌処理済みでないものとの差別化、識別化を図ることができ、商品価値を高めることができる。
【００１５】
又、その殺菌装置にあっては、図３、図４の如く、複数枚のラベル体１が入荷したら、先ずモニター汚れチェックがなされ、その後、自動的又は人的に複数枚のラベル体１を投入部６より回転ドラム４内に投入し、この複数枚のラベル体１は回転ドラム４の回転及び自重により回転ドラム４内を撹拌されつつ連続的に移動し、この連続移動時に複数枚のラベル体１は紫外線殺菌ランプ８からの照射光により紫外線殺菌処理され、紫外線殺菌処理された複数枚のラベル体１は回転ドラム４の他方端部の排出部７より排出され、その後、モニター汚れチェックがなされ、パック包装され、出荷されることになり、しかして、これにより複数枚のラベル体１を連続的に殺菌処理することができ、殺菌処理の確実性及び作業性を向上することができる。
【００１６】
図５の第二形態例、図６の第三形態例は別例構造を示し、上記第一形態例は丸ラベル形、第二形態例は正方形ラベル形、第三形態例は四角形ラベルを示しているものであり、いずれのラベル体１も紫外線殺菌ランプにより殺菌処理が施された殺菌処理部Ｆを設けているものである。
【００１７】
尚、本考案は上記実施の形態例に限られるものではなく、ラベル体１の形態等は適宜変更して設計されるものである。
【００１８】
以上、所期の目的を充分達成することができる。
【図面の簡単な説明】
【００１９】
【図１】本考案の実施の第一形態例の使用状態図である。
【図２】本考案の実施の第一形態例の斜視図である。
【図３】本考案の実施の第一形態例の処理工程図である。
【図４】本考案の実施の第一形態例の装置の説明図である。
【図５】本考案の実施の第二形態例の斜視図である。
【図６】本考案の実施の第三形態例の斜視図である。
【符号の説明】
【００２０】
Ｗ    食品
Ｆ    殺菌処理部
１    ラベル体
２    表示部
４    回転ドラム
６    投入部
７    排出部
８    紫外線殺菌ランプ